(57)【特許請求の範囲】
【請求項１】
増幅器と、送信信号に前記増幅器の入力対出力特性の逆特性を予め与えて歪補償処理を行う歪補償部とを備え、前記歪補償部の出力信号を前記増幅器に入力して増幅する電力増幅装置であって、
前記歪補償部は複数のテーブルで構成された級数型歪補償方式の歪補償係数を格納した係数格納部を有し、前記歪補償部は複素データである入力信号に基づいて前記係数格納部から歪補償係数を読み出し、読み出した前記歪補償係数を前記入力信号に複素乗算して前記歪補償処理を行い、
前記増幅器の出力信号であるフィードバック信号に対し前記係数格納部から読み出した歪補償係数を用いて前記歪補償処理を行った信号と前記歪補償部の出力信号との誤差を算出し、前記誤差に減衰係数とフィードバック信号の複素共役を複素乗算した値と前記係数格納部から読み出した歪補償係数を用いて前記誤差を収束させる前記係数格納部の歪補償係数の更新値を算出し、前記更新値で前記係数格納部の歪補償係数を更新する係数更新部を
有し、
前記減衰係数は、前記係数格納部に格納した歪補償係数それぞれ毎に可変設定する、
ことを特徴とする電力増幅装置。
【請求項２】
請求項１記載の電力増幅装置において、
前記誤差は、前記歪補償部の出力信号の主成分と前記フィードバック信号に対し前記歪補償処理を行った信号の主成分とから算出する、
ことを特徴とする電力増幅装置。
【請求項３】
増幅器と、送信信号に前記増幅器の入力対出力特性の逆特性を予め与えて歪補償処理を行う歪補償部とを備え、前記歪補償部の出力信号を前記増幅器に入力して増幅する電力増幅装置で、前記歪補償部は複数のテーブルで構成された級数型歪補償方式の歪補償係数を格納した係数格納部を有し、前記歪補償部は複素データである入力信号に基づいて前記係数格納部から歪補償係数を読み出し、読み出した前記歪補償係数を前記入力信号に複素乗算して前記歪補償処理を行い、前記係数格納部の歪補償係数を更新する歪補償係数更新方法であって、
前記増幅器の出力信号であるフィードバック信号に対し前記係数格納部から読み出した歪補償係数を用いて前記歪補償処理を行った信号と前記歪補償部の出力信号との誤差を算出し、前記誤差に減衰係数とフィードバック信号の複素共役を複素乗算した値と前記係数格納部から読み出した歪補償係数を用いて前記誤差を収束させる前記係数格納部の歪補償係数の更新値を算出し、前記更新値で前記係数格納部の歪補償係数を更新し、
前記減衰係数は、前記係数格納部に格納した歪補償係数それぞれ毎に可変設定する、
ことを特徴とする歪補償係数更新方法。
【請求項４】
アンテナと、増幅器と、送信信号に前記増幅器の入力対出力特性の逆特性を予め与えて歪補償処理を行う歪補償部とを備え、前記歪補償部の出力信号を前記増幅器に入力して増幅し前記アンテナから送信する無線通信の送信装置であって、
前記歪補償部は複数のテーブルで構成された級数型歪補償方式の歪補償係数を格納した係数格納部を有し、前記歪補償部は複素データである入力信号に基づいて前記係数格納部から歪補償係数を読み出し、読み出した前記歪補償係数を前記入力信号に複素乗算して前記歪補償処理を行い、
前記増幅器の出力信号であるフィードバック信号に対し前記係数格納部から読み出した歪補償係数を用いて前記歪補償処理を行った信号と前記歪補償部の出力信号との誤差を算出し、前記誤差に減衰係数とフィードバック信号の複素共役を複素乗算した値と前記係数格納部から読み出した歪補償係数を用いて前記誤差を収束させる前記係数格納部の歪補償係数の更新値を算出し、前記更新値で前記係数格納部の歪補償係数を更新する係数更新部を
有し、
前記減衰係数は、前記係数格納部に格納した歪補償係数それぞれ毎に可変設定する、ことを特徴とする送信装置。
【発明の詳細な説明】
【技術分野】
【０００１】
本発明は、増幅器の歪補償を行う電力増幅装置及びその歪補償係数更新方法及び送信装置に関する。
【背景技術】
【０００２】
無線通信に利用される電力増幅装置では高い電力効率が求められる。しかし、電力増幅器の線形性と電力効率は一般に相反する特性であり、電力増幅器を線形性の高い領域で使用すると電力効率は低くなり、電力効率を高くするためには電力増幅器を線形性の低い領域で使用しなければならない。電力増幅器の線形性と電力効率を両立させるためにこれまで様々な歪補償方法が提案されている。
【０００３】
このような歪補償方法の一つとしてプリディストータが知られている。プリディストータは、電力増幅器の入力信号に対して増幅器の歪み特性と逆の特性を予め付加しておくことで電力増幅器の出力において歪みのない所望信号を得る方法である。
【０００４】
図１は従来の電力増幅装置の一例の構成図を示す。図１において、端子１には複素データの送信信号Ｔｘ（ｔ）が供給される。この送信信号はＬＵＴ型歪補償部２内のプリディストーション信号生成部３及びアドレス生成部４に供給される。アドレス生成部４は送信信号Ｔｘ（ｔ）の振幅等からＬＵＴ（Ｌｏｏｋ  Ｕｐ  Ｔａｂｌｅ）５のアドレスを生成してＬＵＴ５に供給する。これにより、ＬＵＴ５からアドレスに応じて級数型歪補償方式の歪補償係数が読み出されてプリディストーション信号生成部３に供給される。
【０００５】
プリディストーション信号生成部３は送信信号に歪補償係数を複素乗算してプリディストーション信号を生成する。このプリディストーション信号はＤＡ変換器（ＤＡＣ）６に供給されると共にメモリ７に書き込まれる。ＤＡ変換器６でアナログ化されたプリディストーション信号は電力増幅器８で電力増幅されたのち、方向性結合器９を経てアンテナ１０に供給され送信される。
【０００６】
電力増幅器８の出力信号の一部は方向性結合器９から取り出され、ＡＤ変換器（ＡＤＣ）１１でデジタル化されたのちフィードバック信号としてメモリ１２に書き込まれる。また、メモリ１２から読み出されたフィードバック信号は係数更新部１３内の級数型歪補償部１４に供給される。級数型歪補償部１４はフィードバック信号に対して級数型演算を行ってプリディストーション信号を生成し減算器１５に供給する。
【０００７】
また、減算器１５にはメモリ７から上記フィードバック信号と時間合わせして読み出されたプリディストーション信号が供給されており、減算器１５はメモリ７からのプリディストーション信号からフィードバック信号のプリディストーション信号を減算して誤差を求め級数型歪補償部１４に供給する。級数型歪補償部１４は上記の誤差を小さくするように適用制御を行って例えばボルテラ級数の係数を演算する。ＬＵＴ係数作成部１６は級数型歪補償部１４におけるボルテラ級数の係数からＬＵＴ歪補償係数を作成し、ＬＵＴ５のアドレスとＬＵＴ歪補償係数をＬＵＴ５に供給してＬＵＴ５のＬＵＴ歪補償係数を書き替える。
【０００８】
ところで、フィルタ係数設定レジスタに設定されたフィルタ係数を書き替えるに際して、予めフィルタ係数が格納されたメモリから、新たに設定するフィルタ係数を読み出し、該フィルタ係数を送信信号が伝達される主信号系経路から分岐され折り返される試験系経路を経由してフィルタ係数設定レジスタに配送し、試験系経路はパイプライン処理によってクロック毎に連続してデータを転送することが可能であるため、転送速度の遅い内部共通バスを介すことなく、高速にフィルタ係数の書き替えを行う技術が提案されている（例えば特許文献１参照）。
【０００９】
また、プリディストーション信号とフィードバック信号を収集及び解析し、プリディストーション信号生成多項式のパラメータを制御する技術が提案されている（例えば特許文献２，３，４，５参照）。
【先行技術文献】
【特許文献】
【００１０】
【特許文献１】特開２００５−２０５１５号公報
【特許文献２】米国特許第６９０３６０４号明細書
【特許文献３】米国特許第６５０４４２５号明細書
【特許文献４】米国特許第６１４１３９０号明細書
【特許文献５】米国特許第７６２７２９３号明細書
【発明の概要】
【発明が解決しようとする課題】
【００１１】
非線形システムのモデル化ではボルテラ（Ｖｏｌｔｅｒｒａ）級数が用いられることが多い。ボルテラ級数を歪補償に適用する場合、図１に示すように、電力増幅器８の出力であるフィードバック信号と誤差信号を用いてボルテラ級数の係数を直接算出し、回路規模縮小のためにＬＵＴ型歪補償部２としてＬＵＴ５を用いた構成で実現し、ＬＵＴ係数作成部１６でボルテラ級数の係数からＬＵＴ歪補償係数を演算する構成としている。
【００１２】
上記の構成では電力増幅器８の入出力特性によっては用意するボルテラ級数の次数が増加する。ボルテラ級数の次数が多くなると、級数型歪補償部１４でボルテラ級数の係数演算が複雑になる。更に、ＬＵＴ係数作成部１６におけるボルテラ級数の係数からＬＵＴ歪補償係数を作成することになり、級数型歪補償部１４及びＬＵＴ係数作成部１６の回路規模が大きくなるといった問題があった。
【００１３】
開示の電力増幅装置は、ルックアップテーブルの歪補償係数の演算を簡略化することを目的とする。
【課題を解決するための手段】
【００１４】
開示の一実施形態による電力増幅装置は、増幅器と、送信信号に前記増幅器の入力対出力特性の逆特性を予め与えて歪補償処理を行う歪補償部とを備え、前記歪補償部の出力信号を前記増幅器に入力して増幅する電力増幅装置であって、
前記歪補償部は複数のテーブルで構成された級数型歪補償方式の歪補償係数を格納したテーブルを有し、前記歪補償部は複素データである入力信号に基づいて前記係数格納部から歪補償係数を読み出し、読み出した前記歪補償係数を前記入力信号に複素乗算して前記歪補償処理を行い、
前記増幅器の出力信号であるフィードバック信号に対し前記係数格納部から読み出した歪補償係数を用いて前記歪補償処理を行った信号と前記歪補償部の出力信号との誤差を算出し、前記誤差に減衰係数とフィードバック信号の複素共役を複素乗算した値と前記係数格納部から読み出した歪補償係数を用いて前記誤差を収束させる前記係数格納部の歪補償係数の更新値を算出し、前記更新値で前記係数格納部の歪補償係数を更新する係数更新部を有し、
前記減衰係数は、前記係数格納部に格納した歪補償係数それぞれ毎に可変設定する。
【発明の効果】
【００１５】
本実施形態によれば、ルックアップテーブルの歪補償係数の演算を簡略化することができる。
【図面の簡単な説明】
【００１６】
【図１】従来の電力増幅装置の一例の構成図である。
【図２】電力増幅装置の一実施形態の構成図である。
【図３】ＬＵＴ型歪補償部の主要部の第１実施形態の詳細構成図である。
【図４】係数更新部の第１実施形態の詳細構成図である。
【図５】係数更新部の第２実施形態の詳細構成図である。
【図６】係数更新部の第３実施形態の詳細構成図である。
【図７】無線基地局装置の一実施形態のブロック図である。
【発明を実施するための形態】
【００１７】
以下、図面に基づいて実施形態を説明する。
【００１８】
＜第１実施形態＞
図２は電力増幅装置の一実施形態の構成図を示す。図２において、端子２１にはＩ値及びＱ値からなる複素データの送信信号Ｔｘ（ｔ）が供給される。この送信信号はＬＵＴ型歪補償部２２内のプリディストーション信号生成部２３及びアドレス生成部２４に供給される。アドレス生成部２４は送信信号Ｔｘ（ｔ）の振幅等からＬＵＴ（Ｌｏｏｋ  Ｕｐ  Ｔａｂｌｅ）２５のアドレスを生成してＬＵＴ２５及びメモリ２６に供給する。なお、アドレス生成部２４は送信信号Ｔｘ（ｔ）の絶対値（大きさ：｜Ｔｘ（ｔ）｜）を関数ｆに代入して得られる値と、この値を単位時間だけ順次遅延した全ｊ個の値をアドレスとして生成する。また、全ｊ個の値がアドレスとしてメモリ２６に書き込まれる。
【００１９】
ＬＵＴ２５はアドレス生成部２４からのアドレスに応じて例えばボルテラ級数等を用いた級数型歪補償方式のＬＵＴ歪補償係数を読み出してプリディストーション信号生成部２３に供給する。また、メモリ２６からのアドレスによりＬＵＴ２５から読み出されたＬＵＴ歪補償係数は後述する係数更新部３４に供給される。
【００２０】
プリディストーション信号生成部２３は送信信号Ｔｘ（ｔ）にＬＵＴ歪補償係数を複素乗算してプリディストーション信号ＰＤ１（ｔ）を生成する。このプリディストーション信号ＰＤ１（ｔ）はＤＡ変換器（ＤＡＣ）２７に供給されると共にメモリ２８に書き込まれる。ＤＡ変換器２７でアナログ化されたプリディストーション信号は電力増幅器２９で電力増幅されたのち、方向性結合器３０を経てアンテナ３１に供給され送信される。
【００２１】
電力増幅器２９の出力信号の一部は方向性結合器３０から取り出され、ＡＤ変換器（ＡＤＣ）３２でデジタル化されたのちフィードバック信号としてメモリ３３に書き込まれる。また、メモリ３３から読み出されたフィードバック信号Ｆｂ（ｔ）は係数更新部３４内のプリディストーション信号生成部３５及びＬＵＴ係数更新部３６に供給される。
【００２２】
プリディストーション信号生成部３５はプリディストーション信号生成部２３と同一構成であり、メモリ２６からのアドレスによりＬＵＴ２５から読み出されたＬＵＴ歪補償係数を供給される。プリディストーション信号生成部３５はフィードバック信号にＬＵＴ歪補償係数を複素乗算してプリディストーション信号ＰＤ２（ｔ）を生成し、減算器３７に供給する。また、減算器３７にはメモリ２８から上記フィードバック信号と時間合わせして読み出されたプリディストーション信号ＰＤ１（ｔ）が供給されており、減算器３７はプリディストーション信号ＰＤ１（ｔ）からプリディストーション信号ＰＤ２（ｔ）を減算して（１）式に示す誤差ｅ（ｔ）を求めＬＵＴ係数更新部３６に供給する。
【００２３】
ｅ（ｔ）＝ＰＤ１（ｔ）−ＰＤ２（ｔ）                …（１）
ＬＵＴ係数更新部３６は上記の誤差ｅ（ｔ）の他に、メモリ３３から読み出されたフィードバック信号Ｆｂ（ｔ）と、メモリ２６からのアドレスによりＬＵＴ２５から読み出されたＬＵＴ歪補償係数ＬＵＴｉ，ｊ（｜Ｔｘ（ｔ−ｉ）｜）と、端子３８からステップサイズパラメータと呼ばれる減衰係数μを供給されている。ＬＵＴ係数更新部３６は（２）式から新たなＬＵＴ歪補償係数ＬＵＴｉ，ｊ（｜Ｔｘ（ｔ−ｉ）｜）を生成し、生成した新たなＬＵＴ歪補償係数をＬＵＴ２５に供給してＬＵＴ２５を更新する。なお、「＊」は複素共役を表す。
【００２４】
ＬＵＴｉ，ｊ（｜Ｔｘ（ｔ−ｊ）｜）＝ＬＵＴｉ，ｊ（｜Ｔｘ（ｔ−ｊ）｜）
＋μ×ｅ（ｔ）×Ｆｂ＊（ｔ−ｉ）    …（２）
ここで、誤差ｅ（ｔ）はベクトルであり、この誤差ベクトルの方向を特定方向にするために、誤差ｅ（ｔ）にフィードバック信号の複素共役Ｆｂ＊（ｔ−ｉ）を複素乗算している。上記（２）式を繰り返し演算することにより、誤差ｅ（ｔ）を０に近い値に収束することができる。
【００２５】
＜ＬＵＴ型歪補償部の第１実施形態＞
図３はＬＵＴ型歪補償部２２の主要部の第１実施形態の詳細構成図を示す。図３において、アドレス生成部２４はアドレス変換部４１とｊ−１個の縦続接続された単位遅延素子４２を備える。アドレス変換部４１は端子２１からの送信信号Ｔｘ（ｔ）の絶対値｜Ｔｘ（ｔ）｜を関数ｆに代入して得られる値に変換する。この値は単位遅延素子４２１〜４２ｊ−１それぞれで単位時間だけ順次遅延され、アドレス変換部４１の出力値とｊ−１個の単位遅延素子４２１〜４２ｊ−１の出力値を合わせた全ｊ個の値がアドレスとしてＬＵＴ２５に供給される。
【００２６】
ＬＵＴ２５はそれぞれがｉ個のテーブルを持つｊ個のテーブル群４３１〜４３ｊを有している。ｊ個のテーブル群４３１〜４３ｊそれぞれにはアドレス変換部４１とｊ−１個の単位遅延素子４２１〜４２ｊ−１のｊ個の値がアドレスとして与えられる。これにより、ｊ個のテーブル群４３１〜４３ｊそれぞれからｉ個のＬＵＴ歪補償係数が読み出されてプリディストーション信号生成部２３内のｊ個の加算器４４１〜４４ｊに供給される。
【００２７】
プリディストーション信号生成部２３において、加算器４４１はテーブル群４３１〜４３ｊの１番目のテーブルから供給されるｊ個のＬＵＴ歪補償係数の総和をとって乗算器４５１に供給する。同様にして、加算器４４２〜４４ｉそれぞれはテーブル群４３１〜４３ｊの２番目〜ｉ番目のテーブルから供給されるｊ個のＬＵＴ歪補償係数の総和をとって乗算器４５２〜４５ｉに供給する。
【００２８】
プリディストーション信号生成部２３にはｉ−１個の縦続接続された単位遅延素子４６１〜４６ｉ−１が設けられており、端子２１からの送信信号Ｔｘ（ｔ）が乗算器４５１に供給され、単位遅延素子４６１〜４６ｉ−１で単位時間だけ順次遅延された送信信号が乗算器４５２〜４５ｉに供給される。乗算器４５１〜４５ｉそれぞれは順次遅延された送信信号に加算器４４１〜４４ｉからのＬＵＴ歪補償係数の総和を複素乗算して加算器４７に供給し、加算器４７は乗算器４５１〜４５ｉそれぞれの出力の総和をとって、（３）式で表されるプリディストーション信号ＰＤ（ｔ）として出力する。
【００２９】
【数１】
0005664116.tif 000002
【００３０】
＜係数更新部の第１実施形態＞
図４は係数更新部３４の第１実施形態の詳細構成図を示す。図４にはＬＵＴ２５とメモリ２６も加えて示している。また、メモリ２６はアドレス生成部２４で生成されたアドレスを記憶しているためメモリ２６の内部にはアドレス生成部２４のアドレス変換部と単位遅延素子を模して示している。
【００３１】
図４において、メモリ２５から全ｊ個の値がアドレスとしてＬＵＴ２５に供給される。これにより、ｊ個のテーブル群４３１〜４３ｊそれぞれからｉ個のＬＵＴ歪補償係数が読み出されてプリディストーション信号生成部３５及びＬＵＴ係数更新部３６内の加算部５１に供給される。端子５２からはメモリ３３から読み出されたフィードバック信号Ｆｂ（ｔ）が入力されてプリディストーション信号生成部３５及びＬＵＴ係数更新部３６内の複素共役部（ｃｏｎｊ）５３に供給される。
【００３２】
プリディストーション信号生成部３５はフィードバック信号Ｆｂ（ｔ）にＬＵＴ歪補償係数を複素乗算してプリディストーション信号ＰＤ２（ｔ）を生成し、減算器３７に供給する。減算器３７は端子５４を介してメモリ２８から上記ＰＤ２（ｔ）に対し時間合わせしたプリディストーション信号ＰＤ１（ｔ）が供給されており、減算器３７はプリディストーション信号ＰＤ１（ｔ）からプリディストーション信号ＰＤ２（ｔ）を減算して誤差ｅ（ｔ）を求めＬＵＴ係数更新部３６内の乗算器５５に供給する。乗算器５５には端子３８を介して減衰係数μが供給されており、乗算器５５は誤差ｅ（ｔ）に減衰係数μを乗算して乗算器５６１〜５６ｉに供給する。
【００３３】
一方、複素共役部５３はフィードバック信号Ｆｂ（ｔ）の複素共役Ｆｂ＊（ｔ）を求める。このフィードバック信号の複素共役Ｆｂ＊（ｔ）はｉ−１個の縦続接続された単位遅延素子５７１〜５７ｉ−１で単位時間だけ順次遅延されて乗算器５６１〜５６ｉに供給される。乗算器５６１〜５６ｉはフィードバック信号の複素共役に誤差ｅ（ｔ）と減衰係数μの積を複素乗算することで、ＬＵＴ歪補償係数の更新値として（２）式の右辺第２項［μ×ｅ（ｔ）×Ｆｂ＊（ｔ−ｉ）］を生成し加算部５１に供給する。
【００３４】
加算部５１はそれぞれｊ個の加算器を持つ加算器群５１１〜５１ｉを有している。加算器群５１１〜５１ｉには乗算器５６１〜５６ｉの出力が供給されると共に、プリディストーション信号生成部３５から（２）式の右辺第１項［ＬＵＴｉ，ｊ（｜Ｔｘ（ｔ−ｊ）｜）］が供給され、加算部５１のｉ×ｊ個の加算器によって（２）式の左辺であるｉ×ｊ個のＬＵＴ歪補償係数が算出される。上記の算出されたｉ×ｊ個のＬＵＴ歪補償係数がＬＵＴ２５に供給されＬＵＴ２５が更新される。
【００３５】
上記実施形態では、ボルテラ級数の係数を演算することなく、誤差及びフィードバック信号を用いて誤差を収束させるようにＬＵＴ歪補償係数の更新値を直接算出しているため、ＬＵＴ歪補償係数の演算を簡略化することができ、係数更新部３４の回路規模を小さくすることができる。
【００３６】
＜係数更新部の第２実施形態＞
図５は係数更新部３４の第２実施形態の詳細構成図を示す。図５において図４と同一部分には同一符号を付す。図５では各ＬＵＴ歪補償係数ＬＵＴｉ，ｊに対応して減衰係数μｉ，ｊを可変設定可能とした点である。
【００３７】
図５において、メモリ２５から全ｊ個の値がアドレスとしてＬＵＴ２５に供給される。これにより、ｊ個のテーブル群４３１〜４３ｊそれぞれからｉ個のＬＵＴ歪補償係数が読み出されてプリディストーション信号生成部３５及びＬＵＴ係数更新部３６内の加算部６０に供給される。端子５２からはメモリ３３から読み出されたフィードバック信号Ｆｂ（ｔ）が入力されてプリディストーション信号生成部３５及びＬＵＴ係数更新部３６内の複素共役部５３に供給される。
【００３８】
プリディストーション信号生成部３５はフィードバック信号Ｆｂ（ｔ）にＬＵＴ歪補償係数を複素乗算してプリディストーション信号ＰＤ２（ｔ）を生成し、減算器３７に供給する。減算器３７は端子５４を介してメモリ２８からプリディストーション信号ＰＤ１（ｔ）が供給されており、減算器３７はプリディストーション信号ＰＤ１（ｔ）からプリディストーション信号ＰＤ２（ｔ）を減算して誤差ｅ（ｔ）を求めＬＵＴ係数更新部３６内の乗算器５６１〜５６ｉに供給する。
【００３９】
一方、複素共役部５３はフィードバック信号Ｆｂ（ｔ）の複素共役Ｆｂ＊（ｔ）を求める。このフィードバック信号の複素共役Ｆｂ＊（ｔ）はｉ−１個の縦続接続された単位遅延素子５７１〜５７ｉ−１で単位時間だけ順次遅延されて乗算器５６１〜５６ｉに供給される。乗算器５６１〜５６ｉはフィードバック信号の複素共役に誤差ｅ（ｔ）を複素乗算して加算部６０に供給する。
【００４０】
加算部６０はそれぞれｉ個の乗算器を持つ乗算器群６１１〜６１ｉと、それぞれｉ個の加算器を持つ加算器群６２１〜６２ｉを有している。乗算器群６１１〜６１ｉは乗算器５６１〜５６ｉの出力が供給されると共に、端子６３を介して減衰係数μｉ，ｊが供給されており、乗算器群６１１〜６１ｉはフィードバック信号の複素共役Ｆｂ＊（ｔ）に減衰係数μｉ，ｊを乗算して（２）式の右辺第２項［μｉ，ｊ×ｅ（ｔ）×Ｆｂ＊（ｔ−ｉ）］に相当する値を生成して加算器群６２１〜６２ｉに供給する。
【００４１】
加算器群６２１〜６２ｉにはプリディストーション信号生成部３５から（２）式の右辺第１項［ＬＵＴｉ，ｊ（｜Ｔｘ（ｔ−ｊ）｜）］が供給され、加算部５１のｉ×ｊ個の加算器によって（２）式の左辺であるｉ×ｊ個のＬＵＴ歪補償係数が算出され、算出されたｉ×ｊ個のＬＵＴ歪補償係数でＬＵＴ２５を更新する。
【００４２】
この実施形態では、減衰係数μｉ，ｊのうち例えば減衰係数μ１，１を、ｉ≠１，ｊ≠１である他の減衰係数μｉ，ｊより大きく設定して、送信信号の主成分である時刻ｔの複素ベースバンド信号Ｔｘ（ｔ）に対応するＬＵＴ歪補償係数ＬＵＴ１，１の重みを大きくすることにより、歪補償における安定性や収束性を向上することができる。
【００４３】
＜係数更新部の第３実施形態＞
図６は係数更新部３４の第３実施形態の詳細構成図を示す。図６において図４と同一部分には同一符号を付す。図６では、誤差ｅ（ｔ）を（１）式の代りに（４）式で求める。
【００４４】
ｅ（ｔ）＝［Ｔｘ（ｔ）−Ｆｂ（ｔ）］×ＬＵＴ１，１（｜Ｔｘ（ｔ）｜）    …（４）
この（４）式では、送信信号とフィードバック信号の主成分である時刻ｔの複素ベースバンド信号Ｔｘ（ｔ），Ｆｂ（ｔ）だけを用いて誤差ｅ（ｔ）を用いるため誤差生成部の構成が簡単になる。
【００４５】
図６において、メモリ２５から全ｊ個の値がアドレスとしてＬＵＴ２５に供給される。これにより、ｊ個のテーブル群４３１〜４３ｊそれぞれからｉ個のＬＵＴ歪補償係数が読み出されてＬＵＴ係数更新部３６内の加算部５１に供給される。また、テーブル群４３１から読み出された単一のＬＵＴ歪補償係数ＬＵＴ１，１（｜Ｔｘ（ｔ）｜）は誤差生成部７０内の乗算器７２，７３に供給される。端子５２からはメモリ３３から読み出されたフィードバック信号Ｆｂ（ｔ）が入力されて誤差生成部７０及びＬＵＴ係数更新部３６内の複素共役部（ｃｏｎｊ）５３に供給される。
【００４６】
誤差生成部７０内の乗算器７２はフィードバック信号Ｆｂ（ｔ）にＬＵＴ１，１（｜Ｔｘ（ｔ）｜）を複素乗算して減算器７４に供給する。また、乗算器７３は端子７１を介して供給される送信信号Ｔｘ（ｔ）にＬＵＴ１，１（｜Ｔｘ（ｔ）｜）を複素乗算して減算器７４に供給する。減算器７４は乗算器７３出力から乗算器７２出力を減算して（４）式で表される誤差ｅ（ｔ）を求めＬＵＴ係数更新部３６内の乗算器５５に供給する。乗算器５５には端子３８を介して減衰係数μが供給されており、乗算器５５は誤差ｅ（ｔ）に減衰係数μを乗算して乗算器５６１〜５６ｉに供給する。
【００４７】
一方、複素共役部５３はフィードバック信号Ｆｂ（ｔ）の複素共役Ｆｂ＊（ｔ）を求める。このフィードバック信号の複素共役Ｆｂ＊（ｔ）はｉ−１個の縦続接続された単位遅延素子５７１〜５７ｉ−１で単位時間だけ順次遅延されて乗算器５６１〜５６ｉに供給される。乗算器５６１〜５６ｉはフィードバック信号の複素共役に誤差ｅ（ｔ）と減衰係数μの積を複素乗算することで、（２）式の右辺第２項［μ×ｅ（ｔ）×Ｆｂ＊（ｔ−ｉ）］を生成し加算部５１に供給する。
【００４８】
加算部５１はそれぞれｊ個の加算器を持つ加算器群５１１〜５１ｉを有している。加算器群５１１〜５１ｉには乗算器５６１〜５６ｉの出力が供給されると共に、プリディストーション信号生成部３５から（２）式の右辺第１項［ＬＵＴｉ，ｊ（｜Ｔｘ（ｔ−ｊ）｜）］が供給され、加算部５１のｉ×ｊ個の加算器によって（２）式の左辺であるｉ×ｊ個のＬＵＴ歪補償係数が算出され、算出されたｉ×ｊ個のＬＵＴ歪補償係数でＬＵＴ２５を更新する。
【００４９】
なお、この実施形態においても第２実施形態と同様に、各ＬＵＴ歪補償係数ＬＵＴｉ，ｊに対応して減衰係数μｉ，ｊを変化させて設定可能としても良い。
【００５０】
＜無線基地局装置の構成＞
図７は無線基地局装置の一実施形態のブロック図を示す。図７において、無線基地局装置は無線装置制御部８１と無線装置８２を有している。無線装置制御部８１のＣＰＲＩ（Ｃｏｍｍｏｎ  Ｐｕｂｌｉｃ  Ｒａｄｉｏ  Ｉｎｔｅｒｆａｃｅ）部８３と無線装置８２のＣＰＲＩ部８４との間は双方向のＣＰＲＩ回線８５により接続されている。無線装置８２はＣＰＲＩ部８４の他に、送信信号処理部８６、送信部８７、アンテナ共用器（ＤＵＰ）８８、受信部８９、受信信号処理部９０、アンテナ９１を有している。
【００５１】
無線装置制御部８１のＣＰＲＩ部８３はベースバンド送信信号をＣＰＲＩ準拠のフレーム化を行ってＣＰＲＩ部８４に供給し、ＣＰＲＩ部８４はデフレーム化を行う。ＣＰＲＩ部８４の出力するベースバンド送信信号は送信信号処理部８６において複素データの送信信号Ｔｘ（ｔ）とされて送信部８７に供給される。送信部８７は図２に示す電力増幅装置であり、ここで電力増幅された送信信号はアンテナ共用器８８を経てアンテナ９１から無線送信される。
【００５２】
また、アンテナ９１で受信された信号はアンテナ共用器８８を経て受信部８９に供給され、ここで受信される。受信部８９の出力する複素データの受信信号は受信信号処理部９０にて処理されてベースバンド受信信号とされ、ＣＰＲＩ部８４に供給される。ＣＰＲＩ部８４はベースバンド受信信号をＣＰＲＩ準拠のフレーム化を行ってＣＰＲＩ部８３に供給し、ＣＰＲＩ部８３はデフレーム化を行って、後続回路に供給する。
（付記１）
増幅器と、送信信号に前記増幅器の入力対出力特性の逆特性を予め与えて歪補償処理を行う歪補償部とを備え、前記歪補償部の出力信号を前記増幅器に入力して増幅する電力増幅装置であって、
前記歪補償部は級数型歪補償方式の歪補償係数を格納した係数格納部を有し、
前記増幅器の出力信号であるフィードバック信号に対し前記係数格納部から読み出した歪補償係数を用いて前記歪補償処理を行った信号と前記歪補償部の出力信号との誤差を算出し、前記誤差を収束させるように前記係数格納部の歪補償係数の更新値を算出し、前記更新値で前記係数格納部の歪補償係数を更新する係数更新部を
有することを特徴とする電力増幅装置。
（付記２）
付記１記載の電力増幅装置において、
前記係数更新部は、前記誤差と前記フィードバック信号及び減衰係数とを用いて前記更新値を算出し、
前記減衰係数は、前記係数格納部に格納した歪補償係数それぞれ毎に可変設定する、
ことを特徴とする電力増幅装置。
（付記３）
付記１又は２記載の電力増幅装置において、
前記誤差は、前記歪補償部の出力信号の主成分と前記フィードバック信号に対し前記歪補償処理を行った信号の主成分とから算出する、
ことを特徴とする電力増幅装置。
（付記４）
増幅器と、送信信号に前記増幅器の入力対出力特性の逆特性を予め与えて歪補償処理を行う歪補償部とを備え、前記歪補償部の出力信号を前記増幅器に入力して増幅する電力増幅装置で、級数型歪補償方式の歪補償係数を格納した係数格納部の歪補償係数を更新する方法であって、
前記増幅器の出力信号であるフィードバック信号に対し前記係数格納部から読み出した歪補償係数を用いて前記歪補償処理を行った信号と前記歪補償部の出力信号との誤差を算出し、前記誤差を収束させるように前記係数格納部の歪補償係数の更新値を算出し、前記更新値で前記係数格納部の歪補償係数を更新する、
ことを特徴とする歪補償係数更新方法。
（付記５）
アンテナと、増幅器と、送信信号に前記増幅器の入力対出力特性の逆特性を予め与えて歪補償処理を行う歪補償部とを備え、前記歪補償部の出力信号を前記増幅器に入力して増幅し前記アンテナから送信する無線通信の送信装置であって、
前記歪補償部は級数型歪補償方式の歪補償係数を格納した係数格納部を有し、
前記増幅器の出力信号であるフィードバック信号に対し前記係数格納部から読み出した歪補償係数を用いて前記歪補償処理を行った信号と前記歪補償部の出力信号との誤差を算出し、前記誤差を収束させるように前記係数格納部の歪補償係数の更新値を算出し、前記更新値で前記係数格納部の歪補償係数を更新する係数更新部を
有することを特徴とする送信装置。
（付記６）
付記１乃至３のいずれか１項記載の電力増幅装置において、
前記級数型歪補償方式はボルテラ級数を用いることを特徴とする電力増幅装置。
（付記７）
付記４記載の歪補償係数更新方法において、
前記更新値の算出は、前記誤差と前記フィードバック信号及び減衰係数とを用いて前記更新値を算出し、
前記減衰係数は、前記係数格納部に格納した歪補償係数それぞれ毎に可変設定する、
ことを特徴とする歪補償係数更新方法。
（付記８）
付記４又は７記載の歪補償係数更新方法において、
前記誤差は、前記歪補償部の出力信号の主成分と前記フィードバック信号に対し前記歪補償処理を行った信号の主成分とから算出する、
ことを特徴とする歪補償係数更新方法。
（付記９）
付記５記載の送信装置において、
前記係数更新部は、前記誤差と前記フィードバック信号及び減衰係数とを用いて前記更新値を算出し、
前記減衰係数は、前記係数格納部に格納した歪補償係数それぞれ毎に可変設定する、
ことを特徴とする送信装置。
（付記１０）
付記５又は９記載の送信装置において、
前記誤差は、前記歪補償部の出力信号の主成分と前記フィードバック信号に対し前記歪補償処理を行った信号の主成分とから算出する、
ことを特徴とする送信装置。
【符号の説明】
【００５３】
２２  ＬＵＴ型歪補償部
２３  プリディストーション信号生成部
２４  アドレス生成部
２５  ＬＵＴ
２６，２８，３３  メモリ
２７  ＤＡ変換器
２９  電力増幅器
３０  方向性結合器
３１  アンテナ
３２  ＡＤ変換器
３４  係数更新部
３５  プリディストーション信号生成部
３６  ＬＵＴ係数更新部
３７  減算器
【図１】
0005664116.tif 000003
【図２】
0005664116.tif 000004
【図３】
0005664116.tif 000005
【図４】
0005664116.tif 000006
【図５】
0005664116.tif 000007
【図６】
0005664116.tif 000008
【図７】
0005664116.tif 000009